(57)【要約】【課題】平面性が高く、ゴーストを低減でき、明瞭な画像を表示できるインタラクティブボード用の透過型スクリーン、これを備えたインタラクティブボード及びインタラクティブボードシステムを提供する。【解決手段】インタラクティブボード用のスクリーン１０は、透過型スクリーンであり、スクリーン１０の基板となり、スクリーン１０の平面性を維持する剛性を有する基板層１３と、基板層１３より入射側に設けられ、光が入射する入射面Ａ１と入射面から入射した光の少なくとも一部を全反射する全反射面Ａ２とを備える単位プリズム１１１が複数配列されたプリズム部を有するプリズム層１１と、スクリーン１０の厚み方向において、スクリーン１０の総厚の中点ｍよりも入射側に設けられ、光を拡散する作用を有する光拡散層１２とを備えるものとした。【選択図】図３
2012002957.tif 000002
【特許請求の範囲】
【請求項１】
背面側から映像光を投射するインタラクティブボード用の透過型スクリーンであって、
入射側に設けられ、光が入射する入射面と前記入射面から入射した光の少なくとも一部を全反射する全反射面とを備える単位プリズムが複数配列されたプリズム部を有するプリズム層と、
該透過型スクリーンの厚み方向において、該透過型スクリーンの総厚の中点よりも入射側に設けられ、光を拡散する作用を有する光拡散層と、
該透過型スクリーンの平面性を維持する剛性を有する基板層と、
を備えること、
を特徴とするインタラクティブボード用の透過型スクリーン。
【請求項２】
請求項１に記載のインタラクティブボード用の透過型スクリーンにおいて、
前記基板層は、前記光拡散層より厚さが厚いこと、
を特徴とするインタラクティブボード用の透過型スクリーン。
【請求項３】
請求項１又は請求項２に記載のインタラクティブボード用の透過型スクリーンにおいて、
前記基板層は、光を拡散する拡散作用を有し、
前記基板層の拡散作用は、前記光拡散層の拡散作用よりも小さいこと、
を特徴とするインタラクティブボード用の透過型スクリーン。
【請求項４】
請求項１から請求項３までのいずれか１項に記載のインタラクティブボード用の透過型スクリーンにおいて、
前記光拡散層は、前記基板層よりも入射側に設けられること、
を特徴とするインタラクティブボード用の透過型スクリーン。
【請求項５】
請求項１から請求項４までのいずれか１項に記載のインタラクティブボード用の透過型スクリーンにおいて、
前記光拡散層は、前記プリズム層の出射側に設けられていること、
を特徴とするインタラクティブボード用の透過型スクリーン。
【請求項６】
請求項１から請求項５までのいずれか１項に記載のインタラクティブボード用の透過型スクリーンにおいて、
前記光拡散層１２より出射側に、顔料又は染料を含有し、着色された着色層を有すること、
を特徴とするインタラクティブボード用の透過型スクリーン。
【請求項７】
請求項１から請求項６までのいずれか１項に記載のインタラクティブボード用の透過型スクリーンにおいて、
前記単位プリズムは、
前記入射面である第１の面と前記全反射面である第２の面とを備える全反射プリズム形状と、
前記第１の面に対向して前記第１の面とはスクリーン面の法線方向に対する向きが異なる入射面である第３の面と、前記第３の面と凸形状をなす第４の面とを備える屈折フレネルレンズ形状と、
を備えること、
を特徴とするインタラクティブボード用の透過型スクリーン。
【請求項８】
請求項１から請求項７までのいずれか１項に記載のインタラクティブボード用の透過型スクリーンにおいて、
出射側に少なくともハードコート機能を有する機能層を備えていること、
を特徴とするインタラクティブボード用の透過型スクリーン。
【請求項９】
請求項１から請求項８までのいずれか１項に記載のインタラクティブボード用の透過型スクリーンを備え、前記透過型スクリーンの背面側から投射された映像光を観察面に表示可能なインタラクティブボード。
【請求項１０】
請求項９に記載のインタラクティブボードと、
前記インタラクティブボードの背面から映像光を投射する光源部と、
を備えるインタラクティブボードシステム。
【発明の詳細な説明】
【技術分野】
【０００１】
本発明は、インタラクティブボード用の透過型スクリーン、インタラクティブボード、インタラクティブボードシステムに関するものである。
【背景技術】
【０００２】
近年、会議や授業等の場面において、ボード上に描いた文字や図形を、そのままパーソナルコンピュータに入力したり、パーソナルコンピュータの画像情報をボード上に投影し、手書きされたボード上の文字や画像をパーソナルコンピュータ上に表示したりできるインタラクティブボードと呼ばれる電子黒板の利用が広まってきている（例えば、特許文献１参照）。
この特許文献１に示すインタラクティブボードでは、パーソナルコンピュータからの画像を、ボードの前面側、すなわち、観察者側から投射している。そのため、ボードに手書きで文字等の情報を書き加える際に、投影画像が遮られるという問題や、ボードの前面に投影機を設置するための場所が必要となるという問題がある。
そこで、特許文献２に示すような、背面から投射された映像を表示可能な透過型スクリーンをボードとして用い、パーソナルコンピュータ等の表示部の画像を、光源装置を用いてボード（透過型スクリーン）の背面側から投射して表示するインタラクティブボード等も開発が進められている。また、特許文献３に示すように、透過型スクリーンを用いた対話型のリアプロジェクションテレビの開発も進められている。
【先行技術文献】
【特許文献】
【０００３】
【特許文献１】実用新案登録第３０９３２８８号公報
【特許文献２】特開２００４−７０１８８号公報
【特許文献３】特開２００８−４６１７７号公報
【発明の概要】
【発明が解決しようとする課題】
【０００４】
インタラクティブボードとしては、筆記しやすさや画面の見易さ等の観点から、その観察面の平面性を高く維持することが求められる。そのため、ボード（透過型スクリーン）は、剛性の高いものが望まれ、ボードの基板となる部材は、ある程度の厚み（剛性）を持ったものであることが必要となる。
また、透過型スクリーンをボードとして用いるインタラクティブボードでは、ボード（透過型スクリーン）に映像光を透過させて結像させるため、ボードを構成する層構成によっては、迷光が生じて、不快なゴーストと呼ばれる２重像が発生する場合がある。そして、このような迷光によるゴーストは、基板の厚みが厚いほど、より明瞭になり、映像の劣化を招き、観察者が映像を観察し難く、不快感を生じさせるものとなる。透過型スクリーンにおいて、映像の明瞭さは、常々求められるものである。
しかし、特許文献２の透過型スクリーンは、インタラクティブボードの透過型スクリーンとして使用するための機能を備えておらず、ゴーストに対する対策もなされていない。また、特許文献３の透過型スクリーンにおいても、ゴーストに対する対策は、なされていない。
【０００５】
本発明の課題は、平面性が高く、ゴーストを低減でき、明瞭な画像を表示できるインタラクティブボード用の透過型スクリーン、これを備えたインタラクティブボード及びインタラクティブボードシステムを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、背面側から映像光を投射するインタラクティブボード用の透過型スクリーンであって、入射側に設けられ、光が入射する入射面（Ａ１）と前記入射面から入射した光の少なくとも一部を全反射する全反射面（Ａ２）とを備える単位プリズム（１１１）が複数配列されたプリズム部を有するプリズム層（１１）と、該透過型スクリーンの厚み方向において、該透過型スクリーンの総厚の中点（ｍ）よりも入射側に設けられ、光を拡散する作用を有する光拡散層（１２）と、該透過型スクリーンの平面性を維持する剛性を有する基板層（１３，２３）と、を備えること、を特徴とするインタラクティブボード用の透過型スクリーン（１０，１０−２，１０−３）である。
請求項２の発明は、請求項１に記載のインタラクティブボード用の透過型スクリーンにおいて、前記基板層（１３，２３）は、前記光拡散層（１２）より厚さが厚いこと、を特徴とするインタラクティブボード用の透過型スクリーン（１０，１０−２，１０−３）である。
請求項３の発明は、請求項１又は請求項２に記載のインタラクティブボード用の透過型スクリーンにおいて、前記基板層（２３）は、光を拡散する拡散作用を有し、前記基板層の拡散作用は、前記光拡散層の拡散作用よりも小さいこと、を特徴とするインタラクティブボード用の透過型スクリーン（１０−２）である。
請求項４の発明は、請求項１から請求項３までのいずれか１項に記載のインタラクティブボード用の透過型スクリーンにおいて、前記光拡散層（１２）は、前記基板層（１３，２３）よりも入射側に設けられること、を特徴とするインタラクティブボード用の透過型スクリーン（１０，１０−２，１０−３）である。
【０００７】
請求項５の発明は、請求項１から請求項４までのいずれか１項に記載のインタラクティブボード用の透過型スクリーンにおいて、前記光拡散層（１２）は、前記プリズム層（１１）の出射側に設けられていること、を特徴とするインタラクティブボード用の透過型スクリーン（１０，１０−２，１０−３）である。
請求項６の発明は、請求項１から請求項５までのいずれか１項に記載のインタラクティブボード用の透過型スクリーンにおいて、前記光拡散層（１２）より出射側に、顔料又は染料を含有し、着色された着色層（１６）を有すること、を特徴とするインタラクティブボード用の透過型スクリーン（１０−３）である。
請求項７の発明は、請求項１から請求項６までのいずれか１項に記載のインタラクティブボード用の透過型スクリーンにおいて、前記単位プリズムは、前記入射面である第１の面（Ａ１）と前記全反射面である第２の面（Ａ２）とを備える全反射プリズム形状と、前記第１の面に対向して前記第１の面とはスクリーン面の法線方向に対する向きが異なる入射面である第３の面（Ａ３）と、前記第３の面と凸形状をなす第４の面（Ａ４）とを備える屈折フレネルレンズ形状と、を備えること、を特徴とするインタラクティブボード用の透過型スクリーンである。
請求項８の発明は、請求項１から請求項７までのいずれか１項に記載のインタラクティブボード用の透過型スクリーンにおいて、出射側に少なくともハードコート機能を有する機能層（１４）を備えていること、を特徴とするインタラクティブボード用の透過型スクリーン（１０，１０−２，１０−３）である。
【０００８】
請求項９の発明は、請求項１から請求項８までのいずれか１項に記載のインタラクティブボード用の透過型スクリーン（１０，１０−２，１０−３）を備え、前記透過型スクリーンの背面側から投射された映像光を観察面に表示可能なインタラクティブボード（５０）である。
請求項９の発明は、請求項８に記載のインタラクティブボード（５０）と、前記インタラクティブボードの背面から映像光を投射する光源部（６０）と、を備えるインタラクティブボードシステムである。
【発明の効果】
【０００９】
本発明によれば、以下の効果を奏することができる。
（１）本発明のインタラクティブボード用の透過型スクリーンは、光が入射する入射面と入射面から入射した光の少なくとも一部を全反射する全反射面とを備える単位プリズムが複数配列されたプリズム部を有するプリズム層と、透過型スクリーンの厚み方向において、透過型スクリーンの総厚の中点よりも入射側に設けられ、光を拡散する作用を有する光拡散層とを備えるので、ゴーストの発生を低減することができ、良好な映像を表示できる。また、映像光を透過型スクリーン（ボード）の背面側から投射できるので、観察面の前に立つ使用者の影等によって映像が遮られることがない。さらに、全反射面を備えるプリズム層を入射側に備えているので、映像光を透過型スクリーン（ボード）の背面側の下方からスクリーン面の法線方向に対して大きな角度をなして投射することができるので、透過型スクリーン（ボード）と映像光の光源との距離を短くし、省スペース化を図ることができる。さらに、インタラクティブボード用の透過型スクリーンは、この透過型スクリーンの平面性を維持する剛性を有する基板層を備えるので、スクリーンとして十分に剛直であり、スクリーンとしての平面性を維持でき、表面に筆記された場合にも透過型スクリーンが撓んだり、変形したり、破損したりすることを防止できる。
【００１０】
（２）インタラクティブボード用の透過型スクリーンは、光拡散層より厚さが厚い基板層を備えるので、インタラクティブボードとしての平面性を維持でき、観察面上に筆記された場合にも撓むことなく、良好な映像を表示できる。
【００１１】
（３）基板層は、光を拡散する拡散作用を有し、その拡散作用は、光拡散層の拡散作用よりも小さいので、ゴースト低減効果をさらに高め、映像の明るさを低下させることなく、シンチレーション低減したり、視野角を広げたりすることができる。
【００１２】
（４）光拡散層は、基板層よりも入射側に設けられるので、ゴーストを効率的に低減することができる。
【００１３】
（５）光拡散層は、プリズム層の出射側に設けられているので、ゴーストを効率的に低減することができる。
【００１４】
（６）光拡散層より出射側に、顔料又は染料を含有し、着色された着色層を有するので、観察面側から透過型スクリーンに入射する照明光等の外光を吸収し、また、光拡散層に達した外光が、光拡散層の界面や拡散材等により観察面側に反射した場合には、再度着色層を透過することによって外光が吸収されて減衰するので、映像のコントラストを上げることができる。
【００１５】
（７）単位プリズムは、入射面である第１の面と全反射面である第２の面とを備える全反射プリズム形状と、第１の面に対向して第１の面とはスクリーン面の法線方向に対する向きが異なる入射面である第３の面と、第３の面と凸形状をなす第４の面とを備える屈折フレネルレンズ形状とを備えるので、より多くの映像光を制御することができ、ゴーストの原因となる迷光を低減できる。
【００１６】
（８）出射側に少なくともハードコート機能を有する機能層を備えているので、耐擦傷性を高め、観察面上に筆記具等によって文字や図形等を描画した場合にも、透過型スクリーンに傷が付くことを大幅に低減できる。また、ハードコート機能に加えて、反射防止や帯電防止、防眩機能等の各種機能を備えることも可能であるので、透過型スクリーンの機能性や利便性をさらに高めることができる。
【００１７】
（９）本発明のインタラクティブボード用の透過型スクリーンを備え、透過型スクリーンの背面側から投射された映像光を観察面に表示可能なインタラクティブボード、及び、インタラクティブボードシステムであるので、ゴーストの発生を低減して良好な映像を表示できる。また、映像光を透過型スクリーン（ボード）の背面側から投射できるので、観察面の前に立つ使用者の影によって映像が遮られることがない。さらに、全反射面を備えるプリズム層を入射側に備えているので、映像光を透過型スクリーン（ボード）の背面側の下方からスクリーン面の法線方向に対して大きな角度をなして投射することができるので、透過型スクリーン（ボード）と光源部との距離を短くし、省スペース化を図ることができる。
【図面の簡単な説明】
【００１８】
【図１】第１実施形態のインタラクティブボード及びインタラクティブボードシステムを示す図である。
【図２】第１実施形態のスクリーンを投影機側から見た図である。
【図３】第１実施形態のスクリーンの層構成を説明する図である。
【図４】単位プリズムの形状を説明する図である。
【図５】第１実施形態のスクリーンと比較例のスクリーンとの層構成を比較する図である。
【図６】第２実施形態のスクリーンを示す図である。
【図７】第３実施形態のスクリーンを示す図である。
【図８】インタラクティブボードの変形形態を示す図である。
【図９】インタラクティブボードの変形形態を示す図である。
【図１０】スクリーンの変形形態を示す図である。
【図１１】スクリーンの変形形態を示す図である。
【発明を実施するための形態】
【００１９】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。例えば、光学シートは、光学フィルムとしてもよいし、光学板としてもよい。
さらに、本明細書中に記載する各部材の寸法等の数値及び材料名等は、実施形態としての一例であり、これに限定されるものではなく、適宜選択して使用してよい。
【００２０】
（第１実施形態）
図１は、第１実施形態のインタラクティブボード及びインタラクティブボードシステムを示す図である。
インタラクティブボードシステムは、インタラクティブボード５０と、投影機６０と、パーソナルコンピュータ７０等の制御部と、インタラクティブボード５０の観察面上に文字や図形等を描画可能な入力部８０と、不図示の情報検出部とを備えている。
インタラクティブボード５０は、支持台５１とインタラクティブボード用の透過型スクリーン（以下、理解を容易にするため、単にスクリーン又はボードという）１０とを備えている。このインタラクティブボード５０は、背面側から映像光を投射する形態である。
支持台５１は、スクリーン１０の四辺を保持してその平面性を維持し、かつ、所定の高さにスクリーン１０を支持する部材である。なお、支持台５１は、スクリーン１０の高さを変えられるものとしてもよいし、変えられないものとしてもよい。また、支持台５１の床面との接地部分に車輪等を設けて、移動可能な形態としてもよい。
【００２１】
スクリーン１０は、映像を表示したり、タッチペン等の入力部８０を用いて使用者Ｓが観察面上に文字等の情報を描画したりするボードである。このスクリーン１０は、透過型スクリーンであり、インタラクティブボード５０の背面側に位置する投影機６０からスクリーン１０の背面に投影された映像光を透過し、その観察面に表示可能である。このスクリーン１０の形状に関する詳細は、後述する。
投影機６０は、スクリーン１０（インタラクティブボード５０）の背面側から映像光Ｌを投射する光源部である。この投影機６０は、インタラクティブボード５０とは別体のものであり、汎用のプロジェクタ等を用いてよい。例えば、ＤＬＰ、ＬＣＤ方式等の光源装置を用いてもよいし、映像を投影可能なプロジェクタとしての機能を有するデジタルカメラ等を用いてもよく、使用目的や使用環境に応じて適宜選択できる。本実施形態の投影機６０は、プロジェクタであり、スクリーン１０の中央部より下側から斜め上へ向けて映像光を投影する形態のものである。
【００２２】
入力部８０は、スクリーン１０の観察面にタッチするためのタッチペン等の部材である。
不図示の情報検出部は、入力部８０によって描画された文字や図形等の情報を検出し、制御部へ伝送する機能を有している。この情報検出部は、例えば、スクリーン１０上に設けられたタッチパネルや、インタラクティブボードの上部及び下部等に配置され、入力部８０が接触した位置を検出する赤外線センサ等の位置センサ等を用いることができる。本実施形態の情報検出部は、位置センサを用いており、スクリーン１０の観察面上の入力部８０の座標位置を検出することにより、使用者Ｓが観察面上に描画した図形や文字等の情報を検出し、パーソナルコンピュータ等の制御部に検出した信号を出力する。
この情報検出部は、パーソナルコンピュータ等の制御部と有線又は無線によって通信可能であり、本実施形態の情報検出部は、パーソナルコンピュータ７０とＵＳＢケーブル等により接続され、通信可能となっている。
【００２３】
パーソナルコンピュータ７０は、スクリーン１０に表示する情報を投影機６０へ出力したり、情報検出部からの情報を取り込んでデータ化したり、取り込んだ情報を含む映像を出力したりする制御部と、スクリーン１０に表示する画像情報や、各種のアプリケーションのプログラム等を記憶する記憶装置である不図示の記憶部とを備えている。制御部は、例えば、ＣＰＵ（中央処理装置）等から構成され、インタラクティブボードシステムを統括的に制御する部分である。この制御部は、情報検出部の検出信号に基づいて、入力部８０が接触した観察面の座標位置を判定したり、入力部８０で描画された文字や図形等を判別する。
本実施形態のパーソナルコンピュータ７０は、ＵＳＢケーブル等を用いて有線で情報検出部及び投影機６０と接続され、通信可能となっているが、これに限らず、少なくとも一方と無線で通信可能な形態としてもよい。
なお、本実施形態ではパーソナルコンピュータ７０を用いる例を示したが、少なくともインタラクティブボードシステムを統括的に制御可能な機能を有するものであれば、例えば、携帯電話等の携帯情報端末を用いてもよく、使用環境等に応じて適宜選択して用いてよい。
【００２４】
本実施形態のインタラクティブボードシステムは、以上の構成により、パーソナルコンピュータ７０が映像情報を投影機６０に出力し、投影機６０がインタラクティブボード５０の背面へ映像光を投射し、インタラクティブボード５０が観察面（スクリーン１０の観察者側の面）に映像を表示する。また、情報検出部は、入力部８０を用いて使用者Ｓによって接触された観察面の座標位置を検出し、パーソナルコンピュータ７０が、座標位置を判定できる。この位置情報は、例えば、パーソナルコンピュータ７０の画面の位置情報と、観察面の位置情報（座標情報）とが一致するように、使用者Ｓがインタラクティブボード５０又はパーソナルコンピュータ７０の調節部（図示せず）を操作して、予め調整している。
【００２５】
これによって、使用者Ｓが入力部８０を用いてスクリーン１０の観察面上に描画した図形や文字等を、投影画像と組み合わせ、図形や文字等が投影画像上に描かれたように表示することができる。また、例えば、パーソナルコンピュータ７０の表示画面をインタラクティブボード５０に表示し、使用者Ｓは、マウスで操作するように入力部８０を操作してパーソナルコンピュータ７０を操作することもできる。
また、スクリーン１０は、一般的なホワイトボード等のように、マーカー等の所定の筆記具を用いてその表面（観察面）に手書きで文字や図形等の情報を描画したり、描画した文字等を消去したりできる形態としてもよい。
【００２６】
図２は、第１実施形態のスクリーン１０を投影機６０側から見た図である。図２では、理解を容易にするため、支持台５１は省いて示している。
図３は、第１実施形態のスクリーン１０の層構成を説明する図である。図３では、スクリーン１０を、使用状態における垂直方向に平行であって、スクリーン１０の厚み方向（スクリーン面に垂直な方向）に平行な方向で切断した場合の断面の一部を拡大して示している。
ここで、スクリーン面とは、スクリーン１０全体として見たときにおける、スクリーンの平面方向となる面を示すものであり、本明細書中及び特許請求の範囲において、同一の定義として用いている。このスクリーン面は、スクリーン１０の出射側の面、すなわち、観察面と平行な面である。
スクリーン１０は、使用状態における光の入射側（背面側）から順に、プリズム層１１、光拡散層１２、基板層１３、防眩機能付きハードコート層１４を有している。なお、図３に示すように、本実施形態のスクリーン１０は、プリズム層１１が光拡散層１２の入射側に一体に形成されており、光拡散層１２と基板層１３、基板層１３と防眩機能付きハードコート層１４とは、それぞれ接合層１５ｂ，１５ｃを介して一体に接合されている。
このスクリーン１０は、投影機６０から投影された映像光Ｌを結像し、表示するものである。
【００２７】
プリズム層１１は、スクリーン１０の最も入射側（背面側）に設けられており、入射側の面には、単位プリズム１１１が複数配列されたプリズム部を有している。このプリズム層１１は、投影機６０から投影された映像光Ｌを集光して、垂直方向においてスクリーン１０の正面方向へ略平行光として観察面側へ出射する光線制御作用を有している。
単位プリズム１１１は、光が入射する入射面Ａ１と、入射面Ａ１から入射した光の少なくとも一部を全反射する全反射面Ａ２とを備えるプリズム形状である（図４参照）。
プリズム層１１は、ウレタンアクリレートやエポキシアクリレート等の紫外線硬化型樹脂により形成される。本実施形態のプリズム層１１は、屈折率は、１．５５のウレタンアクリレート系樹脂製である。
【００２８】
光拡散層１２は、光を拡散する作用を有する層であり、プリズム層１１より出射側（観察面側）に配置されている。光拡散層１２は、光透過性を有する樹脂に、拡散材が略均一に分散するように配合されたシート状の部材を用いることができる。
この光拡散層１２は、このスクリーン１０の総厚をｔとし、スクリーン１０の厚み方向においてその総厚ｔの中点をｍとするとき、中点ｍより入射側（プリズム層１１側）に位置している。この光拡散層１２は、その厚さの中心となる点が、中点ｍよりも入射側（プリズム層１１側）に位置していることが好ましく、光拡散層１２の出射側の面が中点ｍよりも入射側（プリズム層１１側）に位置していることがより好ましい。本実施形態の光拡散層１２は、出射側の面が中点ｍよりも入射側（プリズム層１１側）に位置しており、プリズム層１１に隣接している。
本実施形態の光拡散層１２は、プリズム層１１の出射側に一体に形成されており、その厚さが２００μｍであり、屈折率が１．５５であるＭＢＳ（メチルメタクリレート・ブタジエン・スチレン）樹脂を基材とし、拡散材としてシリコン系ビーズ（屈折率１．４１、粒径約２μｍ）とアクリル系ビーズ（屈折率１．５３、粒径約８μｍ）とを用いており、拡散材は略均一に混錬されている。本実施形態の光拡散層１２は、その基材に拡散材が配合される割合が約１０〜１２重量％である。
【００２９】
本実施形態の光拡散層１２は、屈折率及び粒径が異なる２種類の拡散材（シリコン系ビーズ、アクリル系ビーズ）を含有している。この効果について以下に説明する。
シリコン系ビーズは、アクリル系ビーズに比べてその屈折率が小さく、光拡散層１２を形成するＭＢＳ樹脂との屈折率差も大きい。従って、シリコン系ビーズは、少量で、光に対して高い拡散性を発揮することができる。
しかし、シリコン系ビーズのみを光拡散層１２に拡散材として用いた場合には、シリコン系ビーズが少量であり、かつ、その粒径が小さいため、拡散材に当らず、拡散作用を受けずに出射する映像光が生じ、そのような光が観察者には輝線のように観察され、画質が低下する場合がある。
そこで、拡散材を含有する基材となる樹脂との屈折率差が小さく、その粒径もシリコン系ビーズに比べて大きいアクリル系ビーズを、シリコン系ビーズと組み合わせて用いることにより、上述のような輝線の原因となる光を拡散することができる。しかも、アクリル系ビーズは、その拡散作用が小さいので、所望する光拡散層１２の拡散性に大きな影響を与えることなく、輝線を大幅に低減することができる。
【００３０】
なお、光拡散層１２は、その厚みを適宜選択でき、また、拡散材を含有する基材となる樹脂についてもＭＳ（メチルメタクリレート・スチレン）樹脂等の他のアクリル系樹脂や、ＴＡＣ（トリアセテートセルロース）やＰＥＴ、ＰＣ（ポリカーボネート）樹脂等、適宜選択できる。また、拡散材は、ガラスビーズや、プラスチックビーズ等の無機又は有機の化合物の略透明な粒子を適宜選択できる。拡散材の粒径は、光の拡散が波長に依存しないように、１μｍ以上であることが好ましい。
【００３１】
本実施形態のプリズム層１１は、この光拡散層１２の入射側（背面側）に一体に形成されている。プリズム層１１及び光拡散層１２は、例えば、プリズム層１１の逆形状を有し、紫外線硬化型樹脂等の電離放射線硬化型樹脂が塗布されて充填された成形型に対して、光拡散層１２を積層して光拡散層１２側から加圧し、紫外線を照射する等して樹脂を硬化させた後に、成形型から剥離する等して形成される。
【００３２】
基板層１３は、このスクリーン１０のベース（基板）となる層である。この基板層１３は、スクリーン１０を構成する他の層に比べて厚さが最も厚く、これにより、スクリーン１０の平面性を維持する剛性を有している。従って、スクリーン１０は、基板層１３を備えることにより、剛直となり、その観察面に筆記された場合にも透過型スクリーンが撓んだり、変形したり、破損したりすることを防止できる。
本実施形態の基板層１３は、屈折率１．５２であり、厚さ５ｍｍであり、光透過性を有する略平板状のガラス板を用いている。なお、基板層１３としては、ＰＣ樹脂やＭＢＳ樹脂、ＭＳ樹脂等の樹脂製のシート状の部材を用いてもよい。また基板層１３の厚さは、樹脂製のシート状の部材の場合で８〜１０ｍｍの範囲内、ガラス板の場合で４〜６ｍｍの範囲内で適宜自由に選択してよい。
【００３３】
防眩機能付きハードコート層１４は、スクリーン１０の最も観察面側に設けられ、このスクリーン１０の観察面を傷等から保護する耐擦傷性と、防眩機能とを備える機能層であり、筆記しやすい平滑性も有している。
スクリーン１０の観察面（前面）は、使用者Ｓがタッチペン等の入力部８０によって文字等を筆記する面であるため、耐擦傷性が求められ、また、筆記等が滑らかに行えるように、ある程度の平滑性も求められる。その一方で、スクリーン１０の観察面は、室内の照明光等の反射や映り込み等を低減し、画面の見易さを向上させる観点から、防眩機能を有していることが好ましい。
【００３４】
本実施形態の防眩機能付きハードコート層１４は、厚さ１８８μｍのＰＥＴ樹脂製のシート状の部材を基材とし、その観察面側となる表面に、スチレン粒子（平均粒径７．５〜８．０μｍ、屈折率１．５９）を含有する電離放射線硬化型樹脂（例えば、多官能アクリルモノマーとビニルモノマーとを重合させたものにシリコン系レベリング剤を添加したもの）を膜厚７μｍ程度で塗布して形成されている。そして、本実施形態の防眩機能付きハードコート層１４は、その表面粗さが算術平均粗さＲａ（ＪＩＳ  Ｂ０６０１−２００１）が１３６ｎｍ、最大高さＲｚ（ＪＩＳ  Ｂ０６０１−２００１）が４５３ｎｍであり、防眩機能を発揮するに十分な表面粗さを有しつつ、筆記性を妨げることはない。
【００３５】
接合層１５ｂ，１５ｃは、光拡散層１２と基板層１３、基板層１３と防眩機能付きハードコート層１４とをそれぞれ接合するものである。
この接合層１５ｂ，１５ｃは、紫外線硬化型のアクリル系樹脂や、圧力により粘着性が顕在化する感圧粘着型のアクリル系樹脂等を用いることができる。また、接合層１５ｂ，１５ｃは、その厚みが１０〜１００μｍの範囲内で適宜選択できる。
【００３６】
単位プリズム１１１の形状について、以下に詳細に説明する。
図４は、単位プリズム１１１の形状を説明する図である。
プリズム層１１は、前述の図２に示すように、入射側（背面側）の面に、単位プリズム１１１がシート面に沿って一方向（垂直方向）に複数配列されている。
単位プリズム１１１は、図４に示すように、入射側へ凸となる形状であり、光が入射する入射面Ａ１と、入射面Ａ１から入射した光の少なくとも一部を全反射する全反射面Ａ２とを備えている。本実施形態の単位プリズム１１１は、入射面Ａ１と全反射面Ａ２とによって形成される頂角が３８°であり、その配列ピッチＰが５０μｍである。
下方に位置する投影機６０から斜めに照射された映像光のうち入射面Ａ１から単位プリズム１１１へ入射した光の少なくとも一部（光Ｌ１）は、入射面Ａ１で屈折して全反射面Ａ２側へ進み、全反射面Ａ２で全反射し、垂直方向においてスクリーン面の法線方向に略平行光となって観察者側へ進む。
【００３７】
ここで、上述のように、入射面Ａ１に入射する光束のうち、光Ｌ１を含む光束Ｒ１は、全反射面Ａ２に到達し、全反射面Ａ２によって全反射して略平行光となって観察面側へ進む。しかし、光束Ｒ１より垂直方向下側に位置する残りの光束Ｒ２は、全反射面Ａ２に到達することができず、光Ｌ２に示すように正面方向（スクリーン面の法線方向）から大きくそれた方向へ向かい、迷光となってしまう。
このような迷光は、ゴースト（二重映り）等と呼ばれる現象を引き起こし、映像が見えにくくなり、画質の低下を引き起こし、観察者に不快感を与える原因となる場合がある。
【００３８】
そこで、本実施形態では、スクリーン１０の総厚の中点ｍよりも入射側（プリズム層側）に光拡散層１２を配置することにより、迷光と映像光とが光拡散層の拡散作用を受ける位置を近いものとし、ゴーストの発生を低減した。
この効果について、以下に、本実施形態のスクリーン１０と比較例のスクリーン１０Ｂとを比較しながら説明する。
【００３９】
図５は、第１実施形態のスクリーン１０と比較例のスクリーン１０Ｂとの層構成を比較する図である。図５（ａ）は、本実施形態のスクリーン１０を示し、図５（ｂ）は、比較例のスクリーン１０Ｂを示している。なお、理解を容易にするために、図５では、プリズム層１１、接合層１５ｂ、基板層１３等の屈折率は等しいものとして示している。
比較例のスクリーン１０Ｂは、光拡散層１２が、基板層１３の出射側（観察面側）に位置し、スクリーン１０の総厚の中点ｍよりも出射側に位置している点が、本実施形態のスクリーン１０と異なる以外は、本実施形態のスクリーン１０と略同様の形態である。従って、本実施形態のスクリーン１０と共通する機能を果たす部分には、共通の符号を付している。
本実施形態のスクリーン１０と比較例のスクリーン１０Ｂとをそれぞれ支持台５１に組み込み、本実施形態及び比較例のインタラクティブボードを作製し、実際に投影機６０から映像光を投射してその映像を評価した。
【００４０】
比較例のスクリーン１０Ｂを用いたインタラクティブボードでは、画面（スクリーン）上に、ゴースト（二重映り）が発生しており、画質の劣化が生じていた。また、比較例のスクリーン１０Ｂを用いたインタラクティブボードは、発生したゴーストにより、画像が見辛くなり、観察者に不快感を与える等、使用に適さないものであった。
これに対して、本実施形態のスクリーン１０を用いたインタラクティブボードでは、ゴーストが発生しない良好な画像が表示され、観察者にとっても画像は見やすく、快適なものであった。
これは、本実施形態のスクリーン１０では、光拡散層１２が、スクリーン１０の総厚の中点ｍよりも入射側（プリズム層側）に位置していることに起因している。
【００４１】
本実施形態のスクリーン１０及び比較例のスクリーン１０Ｂにおいて、プリズム層１１の単位プリズム１１１に入射する光のうち、図４に示すように、光束Ｒ１は観察者側の正面方向へ出射し、光束Ｒ２は迷光となる点は共通している。
しかし、本実施形態のスクリーン１０では、図５（ａ）に示すように、光拡散層１２の出射側の面が、スクリーン１０の総厚の中点となる点ｍよりも入射側（プリズム層１１側）となるように配置されており、プリズム層１１の出射側に隣接して積層されている。これに対して、比較例のスクリーン１０Ｂの光拡散層１２は、基板層１３の出射側に積層されており、比較例のスクリーン１０Ｂの光拡散層１２の出射側の面は、スクリーン１０の総厚の中点となる点ｍよりも出射側（観察者側）となっている。
【００４２】
これにより、光束Ｒ１，Ｒ２がプリズム層１１透過後に、光拡散層１２の拡散材によって拡散されるまでの光路は、本実施形態のスクリーン１０に比べて比較例のスクリーン１０Ｂの方が長くなる。そのため、比較例のスクリーン１０Ｂでは、単位プリズム１１１による光線制御作用を受けず迷光となった光束Ｒ２と制御作用を受けて垂直方向においてスクリーン１０の正面方向に平行光となった光束Ｒ１とが光拡散層１２によって拡散される位置は、図５（ａ），（ｂ）に示すように、垂直方向において、本実施形態のスクリーン１０に比べて離れた位置となる。
そのため、比較例のスクリーン１０Ｂでは、光拡散層１２によって迷光となった光束Ｒ２を拡散したとしても、光束Ｒ１とは離れた位置で拡散されるため、迷光による像が映像光による像から離れた位置となり、ゴーストを効果的に低減することができず、結果としてゴーストが観察されていた。
【００４３】
特に、基板層１３は、スクリーンとしての平面性や剛性を保つために、その厚さが厚く（本実施形態では、５ｍｍ）なっており、厚さが１００〜２００μｍ程度である他の層に比べて厚い。そのため、基板層１３の出射側に光拡散層１２を配置した比較例のスクリーン１０Ｂは、基板層１３の入射側に光拡散層１２を配置した本実施形態のスクリーン１０に比べて、光束Ｒ１、Ｒ２が光拡散層で到達して拡散されるまでの距離が長く、光拡散層への入射位置のずれが大きくなる。
これに対して、本実施形態のスクリーン１０では、光拡散層１２は中点ｍよりも入射側に位置しており、特に、プリズム層１１の出射側に隣接して設けられているので、迷光（光束Ｒ２）と映像光（光束Ｒ１）の位置のずれが小さい状態で拡散させるので、迷光によるゴーストを効果的に低減できる。
【００４４】
以上のことから、本実施形態によれば、ゴーストの発生を低減でき、良好な画像を表示できるインタラクティブボードとすることができる。
また、本実施形態によれば、基板層１３はスクリーンの平面性を維持できる十分な厚みと剛性を有しているので、観察面側において使用者が筆記した場合にも、良好な画像を表示できる。
さらに、本実施形態によれば、光拡散層１２は、プリズム層１１の出射側に隣接し、一体に設けられているので、ゴースト低減効果をさらに高めることができる。しかも、プリズム層１１は、光拡散層１２の入射側（背面側）に形成されており、プリズム層を形成するための基材となる層を備えていないので、スクリーン１０の層構成を少なくすることができ、生産コストの抑制や、各層の界面における映像光の反射損失を抑え、明るい映像を表示することができる。
【００４５】
さらにまた、本実施形態によれば、インタラクティブボードのボードとして透過型スクリーンであるスクリーン１０を用いているので、映像光をスクリーン１０（ボード）の背面から入射させることができ、使用者Ｓがスクリーン１０（ボード）への書き込みを行う際に、使用者の影等で画面の映像が遮られることがなく、良好な表示が行える。
加えて、本実施形態によれば、入射面Ａ１と全反射面Ａ２とを備える単位プリズム１１１が配列されたプリズム層１１を有しているので、投影機６０が映像光を投影する角度を大きくし、スクリーン１０から投影機６０までの距離を短くすることができ、インタラクティブボードシステムの省スペース化を図ることができる。
【００４６】
（第２実施形態）
図６は、第２実施形態のスクリーン１０−２を示す図である。図６では、スクリーン１０−２のスクリーン面に垂直であり、スクリーン１０−２の使用状態における垂直方向に平行な断面の一部を拡大して示している。
第２実施形態のスクリーン１０−２は、基板層２３が拡散材を含有する樹脂製であって光拡散層１２と略一体に成形されており、プリズム層１１の出射側にプリズム層１１の基材となるプリズム基材層１７を備えている点等が異なる以外は、前述の第１実施形態のスクリーン１０と略同様の形態である。従って、以下の説明において、第１実施形態と同様の機能を果たす部分には、同一の符号又は末尾に同一の符号を付して、重複する説明を適宜省略する。
このスクリーン１０−２は、第１実施形態のスクリーン１０と同様に、背面側から映像光を投射する背面投射型のインタラクティブボード用の透過型スクリーンである。スクリーン１０−２は、第１実施形態のスクリーン１０と同様に、支持台５１によって支持されてインタラクティブボード５０として使用でき、また、パーソナルコンピュータ７０等を備えるインタラクティブボードシステムに使用可能である。
【００４７】
スクリーン１０−２は、入射側（投影機６０側）から順に、プリズム層１１、プリズム基材層１７、光拡散層１２、基板層２３、防眩機能付きハードコート層１４を備えており、プリズム基材層１７と光拡散層１２、基板層２３と防眩機能付きハードコート層１４とは、それぞれ、接合層１５ａ，１５ｃを介して接合されている。
プリズム基材層１７は、このプリズム層１１のベースとなる層であり、光透過性を有するシート状の部材を用いている。プリズム基材層１７は、例えば、屈折率は１．５５、厚さ１００μｍのＰＥＴ樹脂製のシート状の部材を用いることができる。なお、このようなプリズム基材層１７としては、ＰＣ（ポリカーボネート）やアクリル系樹脂等の樹脂製のシート状の部材を用いてもよい。このとき、プリズム層１１は、配列された単位プリズム１１１の逆形状を有する型に紫外線硬化型樹脂等の電離放射線硬化型樹脂を塗布して充填し、その上にプリズム基材層１７を加圧積層し、紫外線を照射する等して樹脂を硬化させた後に型から剥離する等して形成することができる。
接合層１５ａは、プリズム基材層１７と光拡散層１２とを接合する層であり、接合層１５ｃと同様に、紫外線硬化型のアクリル系樹脂や、圧力により粘着性が顕在化する感圧粘着型のアクリル系樹脂等を用いることができる。
【００４８】
光拡散層１２と基板層２３とは、２層押し出し成形により一体に形成されている。光拡散層１２と基板層２３とを合わせた厚みは、８〜１０ｍｍの範囲内であることが、平面性を維持する観点等から好ましい。
本実施形態の光拡散層１２は、ＭＳ樹脂製であり、厚みが約１ｍｍであり、含有している拡散材（シリコン系ビーズ及びアクリル系ビーズ）の割合は１．５６重量％である。
基板層２３は、略均一に分散された拡散材を含有する熱可塑性樹脂のシート状の部材である。本実施形態の基板層２３は、ＭＳ樹脂製のシート状の部材（厚さ７〜９ｍｍ、屈折率１．５５）であり、拡散材として、粒径約８μｍのアクリル系樹脂製ビーズ（屈折率１．５３）を含有している。この基板層２３が含有している拡散材の割合は、０．０８重量％であり、光拡散層１２が含有している拡散材の割合よりも少なく、そのヘイズ値も光拡散層１２よりも小さい。基板層２３が有する光拡散作用は、光拡散層１２が有する拡散作用よりも小さく、このスクリーン１０−２において、光拡散層１２は、最も大きい光拡散作用を有する。
【００４９】
本実施形態によれば、基板層２３は、光拡散作用を有しており、その光拡散作用は光拡散層１２の有する光拡散作用よりも小さいので、ゴースト低減効果をさらに高め、映像の輝度を低下させることなく、シンチレーション低減や、視野角の向上等の効果を奏することができる。
【００５０】
（第３実施形態）
図７は、第３実施形態スクリーン１０−３を示す図である。図７では、スクリーン１０−３のスクリーン面に垂直であり、スクリーン１０−３の使用状態における垂直方向に平行な断面の一部を拡大して示している。
第３実施形態のスクリーン１０−３は、光拡散層１２と基板層１３との間に、拡散材を含有した着色層１６を有しており、その着色層１６と光拡散層１２とが２層押し出し成形により一体に形成されている点が異なる以外は、第１実施形態と略同様の形態である。従って、以下の説明において、第１実施形態と同様の機能を果たす部分には、同一の符号又は末尾に同一の符号を付して、重複する説明を適宜省略する。
このスクリーン１０−３は、第１実施形態のスクリーン１０と同様に、背面側から映像光を投射する背面投射型のインタラクティブボード用の透過型スクリーンである。スクリーン１０−３は、第１実施形態のスクリーン１０と同様に、支持台５１によって支持されてインタラクティブボード５０として使用でき、また、制御部等を有するパーソナルコンピュータ７０等を備えるインタラクティブボードシステムに使用可能である。
【００５１】
図７に示すように、スクリーン１０−３は、映像光の入射側（背面側）から順に、プリズム層１１、光拡散層１２、着色層１６、基板層１３、防眩機能付きハードコート層１４を備えており、着色層１６と基板層１３、基板層１３と防眩機能付きハードコート層１４は、それぞれ、接合層１５ｂ、１５ｃにより接合されている。
本実施形態の光拡散層１２は、その厚みが１６０μｍである。
着色層１６は、黒色系の顔料や染料等を含有することにより着色されたアクリル系樹脂等の熱可塑性樹脂により形成された層であり、本実施形態では、ＭＢＳ樹脂製であり、その厚みが６０μｍ、屈折率が１．５５である。この着色層１６は、光拡散層１２の出射側（プリズム層１１とは反対側）に設けられている。
本実施形態の着色層１６は、光拡散層１２の基材と同様のＭＢＳ樹脂に黒色の顔料と拡散材（例えば、アクリル系ビーズ）とを略均一に分散させて着色したものであり、拡散材を含有し、光拡散層１２と２層押し出し成形によって一体に成形されている。
また、本実施形態の着色層１６は、そのティント率が２５％であるが、ティント率が１０〜３０％であれば適宜選択してよい。ここで、ティント率とは、着色されていない状態の光の透過率を１００％とし、着色された状態での光の透過率をＢ％とした場合、ティント率Ａ％は、Ａ＝１００−Ｂで表されるものである。
【００５２】
本実施形態とすれば、着色層１６により、スクリーン１０−３の観察面側から入射する照明光等の不要な外光を吸収でき、また、観察面側から入射して光拡散層の拡散材等により反射されて観察面側へ向う外光等を吸収・減衰できるので、コントラストの向上を図ることができる。
また、基板層１３としてガラス製の板状の部材を用いているので、スクリーン１０の剛性を高め、その平面性を向上させることができる。
なお、本実施形態では、着色層１６は、拡散材を含有している例を示したが、拡散材を含有しない形態としてもよい。
【００５３】
（変形形態）
以上説明した各実施形態に限定されることなく、種々の変形や変更が可能であって、それらも本発明の範囲内である。
（１）各実施形態において、インタラクティブボード５０は、スクリーン１０，１０−２，１０−３を支持台５１によって支持したものであり、別体の投影機６０によって映像光Ｌが背面側から投射される例を示したが、これに限らず、例えば、図８に示すような、スクリーンと投影機６１とを筐体９１内に組み込んで一体としたインタラクティブボード９０−１としてもよいし、図９に示すような、壁面に固定されたインタラクティブボード９０−２，９０−３としてもよい。
図８及び図９は、インタラクティブボードの変形形態を説明する図である。
図８に示す変形形態のインタラクティブボード９０−１では、スクリーン１０を筐体９１に嵌め込み、筐体９１の下部に配置された投影機（光源部）６１から投射された映像光を、筐体９１内に配置されたミラー部９２，９３で反射してスクリーン１０の背面から照射する形態としている。なお、図８では、第１実施形態で示したスクリーン１０を用いた例を示しているが、これに限らず、第２実施形態や第３実施形態で示したスクリーン１０−２，１０−３を用いてもよく、また、このインタラクティブボード９０−１は、パーソナルコンピュータ等と有線又は無線で通信可能としたインタラクティブボードシステムとして用いることもできる。
インタラクティブボード９０−１のような形態とすることにより、スクリーン１０の背面側は筐体９１によって覆われ、暗室となるので、インタラクティブボード９０−１の背面側に位置する窓からの光や照明光等のような外光が、スクリーン１０の背面から入射することを防止でき、コントラストの向上等を図ることができ、より明瞭な映像を表示できる。
【００５４】
また、図９に示す変形形態のインタラクティブボード９０−２，９０−３は、スクリーン１０の四辺を保持する枠状の支持部材９４と、支持部材９４と連結され、これを壁面Ｈへ固定する固定部材９５とを有している。このインタラクティブボード９０−２，９０−３は、支持部材９４及び固定部材９５により、投影機の投射距離に応じて所定の間隔をあけた状態で壁面Ｈに固定されている。
図９に示す固定部材９５は、スクリーン１０の下方側が開口となった略矩形の筒状の部材であり、スクリーン１０の上辺側及び左右両辺の支持部材９４と連結されており、壁面Ｈにスクリーン１０及び支持部材９４を固定しており、スクリーン１０と壁面Ｈとの間の空間のうち、スクリーン１０の上側の面及び左右の側面を覆うように設けられている。この固定部材９５は、例えば、略矩形のスクリーン１０の上辺側の支持部材９４と固定され、壁面Ｈに固定されるものとしてもよいし、固定部材９５の形状は使用環境や壁面の状況等に応じて自由に設計してよい。
【００５５】
このように、壁面Ｈに固定されて設置されるインタラクティブボード９０−２，９０−３の場合、例えば、図９（ａ）に示すように、ミラー部６２１を備える投影機６２をスクリーン１０の下方に配置し、映像光Ｌをミラー部６２１で反射してスクリーン１０の背面に投影してもよいし、図９（ｂ）に示すように、壁面Ｈにミラー部９６を配置し、スクリーン１０の下方に配置された投影機６０からの映像光Ｌをミラー部９６で反射させてスクリーン１０の背面側へ投影してもよい。
このような構成とすることにより、スクリーン１０が壁面に固定されるので、使用者Ｓがスクリーン１０の表面に筆記する際にスクリーン１０の観察面にかかる力によって、スクリーン１０が揺れて映像が見にくくなるという問題を低減できる。また、壁面Ｈに固定されるので、背面側からスクリーン１０に入射する不要な光を低減でき、コントラストの低下を低減できる。
【００５６】
（２）各実施形態において、単位プリズム１１１は、入射面Ａ１と全反射面Ａ２とを備える全反射プリズムであり、シート面に沿って垂直方向に配列される例を示したが、これに限らず、水平方向に配列してもよいし、以下に示すような形態としてもよい。
図１０は、スクリーンの変形形態を示す図である。
各実施形態において、プリズム層１１は、単位プリズム１１１がシート面に沿って垂直方向に配列される例を示したが、例えば、図１０（ａ）に示す変形形態のスクリーン１０−４のように、単位プリズム３１１がシート面に沿って同心円状に配列されているプリズム層３１としてもよい。単位プリズム３１１は、入射面Ａ１と全反射面Ａ２とを備える単位プリズム１１１と略同様の形態であるが、シート面の延長上に位置する点Ｃを中心として同心円状に配列されている。このとき、投影機６０は、点Ｃを通りシート面に垂直な直線上に位置している。
【００５７】
また、各実施形態において、単位プリズム１１１は、入射面Ａ１と全反射面Ａ２とからのみ形成される例を示したが、例えば、図１０（ｂ）に示す変形形態のプリズム層４１のの単位プリズム４１１のように、全反射プリズム形状４１１ａと屈折フレネルレンズ形状４１１ｂとを有する、ハイブリッド型のプリズム形状としてもよい。
全反射プリズム形状４１１ａは、入射面Ａ１と全反射面Ａ２とを備えており、各実施形態で示した単位プリズム１１１の形状の一部である。屈折フレネルレンズ形状４１１ｂは、この全反射プリズム形状４１１ａの垂直方向下側に位置し、入射面Ａ１と対向し、光が入射する入射面である第３の面Ａ３と、第３の面Ａ３と凸形状をなす第４の面Ａ４とを備えており、所謂、屈折フレネルレンズの形状の一部である。
ここで、第３の面Ａ３に入射した光Ｌ３は、界面（第３の面Ａ３）で屈折し、垂直方向においてスクリーン面の法線方向に略平行光となって観察面側へ進む。そのため、このようなハイブリッド型のプリズム形状とすることにより、略平行光となる映像光の光量を増やすことができる。
一方、第４の面Ａ４に入射した光Ｌ４は、界面（第４の面）で屈折して正面方向から大きく外れた方向へ進み、迷光となってゴーストの原因となる場合がある。しかし、このような単位プリズム４１１において発生する迷光によるゴーストも、本発明によれば効果的に低減できる。
【００５８】
（３）第１実施形態及び第２実施形態において、スクリーン１０，１０−２が着色層１６を備えない例を示したが、これに限らず、例えば、着色層１６を、光拡散層１２の出射側に備える形態としてもよい。なお、このとき、着色層１６は、拡散材を含有していてもよいし、していなくてもよい。また、第３実施形態において、スクリーン１０−３が着色層１６を備える例を示したが、これに限らず、着色層１６を備えない形態としてもよい。
【００５９】
（４）各実施形態において、インタラクティブボード５０及びパーソナルコンピュータ７０が１台のみ使用されている例を示したが、これに限らず、例えば、複数のパーソナルコンピュータ７０をインターネット等に接続した状態で複数のインタラクティブボード５０を使用してもよい。このような形態とすれば、遠隔地であっても描画された情報を共有することができ、テレビ会議システム等との併用により、遠隔地同士の会議を効率的に行うことができる。
【００６０】
（５）各実施形態において、光拡散層１２又は着色層１６と基板層１３、基板層１３，２３と防眩機能付きハードコート層１４とは、それぞれ接合層１５ｂ，１５ｃを介して積層されている例を示したが、これに限らず、例えば、基板層１３，２３の入射側の面上に光拡散層１２を直接形成したりする等により、接合層１５ｂ，１５ｃを介さずに一体に積層した形態としてもよい。
このような形態とすることにより、スクリーンの更なる薄型化を図ることができる。また、スクリーンを構成する層が少なくなるので、層間の界面で反射する光量を抑えることができ、透過光量を上げ、明るい映像を表示できる。
【００６１】
（６）第１実施形態及び第３実施形態において、プリズム層１１と光拡散層１２とは、２層押し出し成形により一体に積層されて形成される例を示したが、これに限らず、第２実施形態のように、プリズム層１１をプリズム基材層１７上に形成し、プリズム基材層１７と光拡散層１２とを接合層１５ａを介して接合する形態としてもよい。
図１１は、スクリーンの変形形態を示す図である。
図１１に示すように、プリズム層１１をプリズム基材層１７上に形成し、プリズム基材層１７と光拡散層１２とを接合層１５ａを介して接合したスクリーン１０−５としてもよい。
【００６２】
また、プリズム層１１は、各実施形態において、紫外線硬化型樹脂を充填した型の上に光拡散層１２又はプリズム基材層１７を載せて加圧し、紫外線を照射して硬化させ、光拡散層１２上に転写することにより形成される例を示したが、これに限らず、例えば、熱可塑性樹脂を用いてプレス成形や押し出し成形により形成してもよい。プリズム層１１を押し出し成形等によって成形する場合には、プリズム層が拡散材を含有している形態としてもよい。
【００６３】
（７）各実施形態において、少なくともハードコート機能を備える機能層として、防眩機能付きハードコート層１４がスクリーン１０，１０−２，１０−３の最も出射側に位置する例を示したが、これに限らず、例えば、ハードコート機能に加えて、照明光の反射等を抑える反射防止機能、帯電防止層機能、紫外線吸収機能、防汚機能、着色や減光機能等を備える層としてもよい。
反射防止機能を有する場合は、照明光等の映りこみを防止し、コントラストを向上させることができる。帯電防止機能を有する場合は、静電気を除去し、観察面上への埃等の付着を防止できる。紫外線吸収機能を有する場合は、外光に含まれる紫外線によるスクリーン１０，１０−２，１０−３の黄変を防止できる。防汚機能を有する場合は、スクリーン１０，１０−２，１０−３の表面に汚れが付着することを防止できる。着色や減光機能を有する場合は、コントラストの向上を図ることができる。
なお、このような機能を有する層は１つでもよいし、複数設けてもよく、使用環境等に応じて適宜選択して組み合わせて用いてよい。また、防眩機能付きハードコート層がこれらの機能を併せ持つ形態としてもよい。さらに、基板層１３，２３が十分な耐擦傷性を有するならば、防眩機能付きハードコート層１４を設けない形態としてもよいし、防眩機能付きハードコート層１４の変わりにこれらの機能を有する層を設けてもよい。さらにまた、ハードコート機能のみを有するハードコート層としてもよく、これらの層に上述の各機能を有する層を適宜組み合わせて使用してもよい。
【００６４】
（８）各実施形態において、インタラクティブボードシステムは、入力部８０が接したスクリーンの観察面上の座標位置を検出してパーソナルコンピュータ７０へ出力する例を示したが、これに限らず、例えば、インタラクティブボードとは別体であってパーソナルコンピュータ７０に有線又は無線で接続される不図示の入力装置等に入力部８０により使用者Ｓが筆記した文字等の情報をスクリーン上に投影する形態としてもよい。なお、このような別体の入力装置としては、タブレット等を用いることができる。
【００６５】
なお、本実施形態及び変形形態は、適宜組み合わせて用いることもできるが、詳細な説明は省略する。また、本発明は以上説明した各実施形態によって限定されることはない。
【符号の説明】
【００６６】
１０，１０−２，１０−３    スクリーン（ボード）
１１    プリズム層
１１１    単位プリズム
１２    光拡散層
１３，２３    基板層
１４    防眩機能付きハードコート層
１５ａ，１５ｂ，１５ｃ    接合層
１６    着色層
５０    インタラクティブボード
６０    投影機
７０    パーソナルコンピュータ
８０    入力部
【図１】
2012002957.tif 000003
【図２】
2012002957.tif 000004
【図３】
2012002957.tif 000005
【図４】
2012002957.tif 000006
【図５】
2012002957.tif 000007
【図６】
2012002957.tif 000008
【図７】
2012002957.tif 000009
【図８】
2012002957.tif 000010
【図９】
2012002957.tif 000011
【図１０】
2012002957.tif 000012
【図１１】
2012002957.tif 000013